(57)【要約】【課題】多心電線の各心線の皮剥き作業や各心線への各端子の接続作業や各端子のコネクタ嵌め作業を少ない工数で効率良く行う。【解決手段】複数の心線挿通部９と、各心線挿通部の前側に連通する端子保持部１１とを並列に有する一括ピッチ揃え具６を用い、各心線挿通部に多心電線１の露出した各心線３を挿通させ、各心線挿通部と同一ピッチの押圧部２１を有する一括端子接続具２０で各心線の先端部に各端子１７を一括接続し、各心線挿通部に沿って各心線を後退させ、各端子を各端子保持部に挿入保持させ、各心線を各端子と一体に前進させ、各端子保持部と同一ピッチの各端子収容室を有するコネクタハウジング２６に各端子を一括挿入する。前記各心線挿通部に各心線を挿通させた状態で、各心線挿通部と同一ピッチの刃部１３を有する一括皮剥きカッタ１２で、各心線の先端部の絶縁被覆４を一括皮剥きする【選択図】図５
2010003432.tif 000002
【特許請求の範囲】
【請求項１】
複数の心線挿通部と、各心線挿通部の前側に連通する端子保持部とを並列に有する一括ピッチ揃え具を用いて、各心線挿通部に多心電線の露出した各心線を挿通させ、各心線挿通部と同一ピッチの押圧部を有する一括端子接続具で各心線の先端部に各端子を一括接続し、各心線挿通部に沿って各心線を後退させて、各端子を各端子保持部に挿入保持させ、各心線を各端子と一体に前進させて、各端子保持部と同一ピッチの各端子収容室を有するコネクタハウジングに各端子を一括挿入することを特徴とする多心電線の端末処理方法。
【請求項２】
前記一括端子接続具が一括圧着具である場合に、前記各心線挿通部への各心線の挿通と前記各端子の一括接続との間において、各心線挿通部に各心線を挿通させた状態で、各心線挿通部と同一ピッチの刃部を有する一括皮剥きカッタで、各心線の先端部の絶縁被覆を一括皮剥きすることを特徴とする請求項１記載の多心電線の端末処理方法。
【請求項３】
前記各心線挿通部に前記各心線を挿通させた後、各心線の先端側を一括切断して各心線の先端位置を揃えることを特徴とする請求項１又は２記載の多心電線の端末処理方法。
【請求項４】
前記一括ピッチ揃え具を分割式に形成し、該一括ピッチ揃え具を開いた状態で前記各心線挿通部に対する前記各心線の挿通と離脱を行うことを特徴とする請求項１〜３の何れかに記載の多心電線の端末処理方法。
【発明の詳細な説明】
【技術分野】
【０００１】
本発明は、多心電線の各心線の皮剥きと端子接続とコネクタ嵌めとをそれぞれ各心線ごとに一括して行う多心電線の端末処理方法に関するものである。
【背景技術】
【０００２】
図７（ａ）（ｂ）は、従来の多心電線の端末処理方法の一形態を示すものである。
【０００３】
この方法は、図７（ａ）の如く、多心電線１の外側の絶縁シース２を適宜長さに皮剥きして複数本の断面円形の心線３を露出させ、各心線３が絶縁被覆の側端で相互に連結されている場合は各心線３を解して一本ずつに分離させ、各心線３ごとに一本ずつ先端（前端）側の絶縁被覆に上下一対の皮剥き刃（図示せず）で切り込みを入れて、先端側の絶縁被覆を皮剥きし、各心線３ごとに一本ずつ圧着機のアンビルとクリンパとの間で各心線３の先端部に導電金属製の端子１７を圧着接続する。
【０００４】
すなわち、端子１７の前側の一対の圧着片で心線の導体部を加締め、後側の一対の圧着片で導体部に続く絶縁被覆を加締める。次いで、図７（ｂ）の如く、各端子１７を一つずつ絶縁樹脂製のコネクタハウジング２６の端子収容室内に手作業で挿入する。端子１７とコネクタハウジング２６とでコネクタが構成される。
【０００５】
各心線３を絶縁シース２内に扁平状に並列に並べた多心電線１はフラット多心電線とも呼称される。心線３とは、断面円形の導体部の外周に合成樹脂製の絶縁被覆を被着させた細長の電線である。各心線３には識別用の色分けがなされている（例えば図７の一端側から赤、黄、緑、白、黒等）。フラット多心電線１にシールド機能を付加する場合は、図７で他端側の心線３1のように導電性被覆のアース用ドレイン線を混在させる。断面円形のシールド多心電線１の場合は絶縁シース２の下側に編組等のシールド導体が配設される。
【０００６】
図８（ａ）（ｂ）は、従来の電線の端末処理方法の他の形態を示すものである（特許文献１参照）。
【０００７】
この方法は、図８（ａ）の如く、平角導体３２とそれを覆う絶縁被覆３３とで成る平型電線３４を複数本並列に並べた状態で、図８（ｂ）の上下の並列切断剥離刃３６で各平型電線３４の先端側の絶縁被覆３３を一括皮剥きして平角導体３２を露出させるものである。
【０００８】
各平型電線３４は補強テープ３５で連結された状態で一括皮剥きされる。上下の並列切断剥離刃３６は、各平型電線３４の側面の絶縁被覆を切る入口側のテーパ状刃部３７と、上下面の絶縁被覆を切る奥側の凹状刃部３８とを有する。
【０００９】
図９は、従来の多心電線の端末処理方法のその他の形態を示すものである（特許文献２参照）。
【００１０】
この方法は、多心電線４１の並列に露出した各心線４２を合成樹脂製のカバー４３の並列な各孔部４４に挿通させ、各心線４２の先端部に端子４５を圧着した後、合成樹脂製のコネクタハウジング４６の並列な各端子収容室４７内に挿入し（符号４７は端子収容室の相手端子挿入口である前部開口を示す）、コネクタハウジング４６をカバー４３に係止爪４８で係止させるものである。
【００１１】
多心電線４１の各心線４２は絶縁樹脂製の絶縁シース４１内にモールド成形で並列に固定されている。カバー４３は各孔部４４側の枠部と下半部とを有する主体部４９と、上側の副体部（蓋部）５０とで構成されている。
【特許文献１】特開平８−２１２８３３号公報（図１６〜図１７）
【特許文献２】特開２００１−１３５４０３号公報（図２）
【発明の開示】
【発明が解決しようとする課題】
【００１２】
しかしながら、上記従来の図７の多心電線の端末処理方法にあっては、各心線３ごとに一本ずつ絶縁被覆の皮剥きをしたり、端子を圧着したり、コネクタ嵌め（端子挿入）をするために、多くの工数がかかるという問題があった。
【００１３】
また、心線３の露出長さ（絶縁シース２の皮剥き長さ）Ｌを長く設定しないと、皮剥き機や圧着機への心線３のセットやコネクタ嵌めを行うことができず、また、シールド多心電線１の場合は、編組等のシールド導体（図示せず）からの心線３の露出長さＬが長くなって、シールド性が低下するという懸念や、ドレイン線３1のテープ巻き絶縁処理や絶縁チューブ被せ作業に多くの工数を必要とするという問題があった。
【００１４】
また、従来の図８の電線の端末処理方法にあっては、特に電線として図７の多心電線１の断面円形の心線３を用いた場合に、各心線３の位置が上下左右にばらついてしまい、一括皮剥きを行った際に、皮剥き刃で絶縁被覆の内側の導体部を傷付けてしまうという懸念があった。
【００１５】
また、上記従来の図９のコネクタ嵌め方法にあっては、カバー４３で各心線４２を支持した状態で各端子４５をコネクタハウジング４６内に同時に挿入する際に、各端子４５の位置がばらついて挿入作業性が悪いという懸念があった。
【００１６】
本発明は、上記した点に鑑み、多心電線の各心線の皮剥き作業や各心線への各端子の接続作業や各端子のコネクタ嵌め作業を少ない工数で効率良く且つ確実に行うことができ、加えて絶縁シースの皮剥き長さの増加に起因する諸問題を解消することのできる多心電線の端末処理方法を提供することを目的とする。
【課題を解決するための手段】
【００１７】
上記目的を達成するために、本発明の請求項１に係る多心電線の端末処理方法は、複数の心線挿通部と、各心線挿通部の前側に連通する端子保持部とを並列に有する一括ピッチ揃え具を用いて、各心線挿通部に多心電線の露出した各心線を挿通させ、各心線挿通部と同一ピッチの押圧部を有する一括端子接続具で各心線の先端部に各端子を一括接続し、各心線挿通部に沿って各心線を後退させて、各端子を各端子保持部に挿入保持させ、各心線を各端子と一体に前進させて、各端子保持部と同一ピッチの各端子収容室を有するコネクタハウジングに各端子を一括挿入することを特徴とする。
【００１８】
上記構成により、一括ピッチ揃え具の心線挿通部に多心電線の各心線が平行に配置され、その状態で各心線への端子接続と、コネクタハウジングの各端子収容室への各端子の挿入とが各心線ごとに一括して効率的に行われる。各心線の絶縁被覆を皮剥きしない場合、各心線には圧接端子が接続（圧接）される。心線挿通部は孔部であっても溝部であってもよい。
【００１９】
請求項２に係る多心電線の端末処理方法は、請求項１記載の多心電線の端末処理方法において、前記一括端子接続具が一括圧着具である場合に、前記各心線挿通部への各心線の挿通と前記各端子の一括接続との間において、各心線挿通部に各心線を挿通させた状態で、各心線挿通部と同一ピッチの刃部を有する一括皮剥きカッタで、各心線の先端部の絶縁被覆を一括皮剥きすることを特徴とする。
【００２０】
上記構成により、一括ピッチ揃え具の心線挿通部に多心電線の各心線が平行に配置された状態で、各心線の先端部の絶縁被覆が一括して同時に皮剥きされ、各心線の導体部が露出する。各心線の先端部に圧着端子が接続（圧着）される。
【００２１】
請求項３に係る多心電線の端末処理方法は、請求項１又は２記載の多心電線の端末処理方法において、前記各心線挿通部に前記各心線を挿通させた後、各心線の先端側を一括切断して各心線の先端位置を揃えることを特徴とする。
【００２２】
上記構成により、各心線挿通部のピッチが多心電線の絶縁シース内の各心線のピッチよりも大きいことに起因する、各心線挿通部からの各心線の突出長さの違い（先端位置のずれ）が是正されて、端子接続時の心線先端部長さが十分に確保される。
【００２３】
請求項４に係る多心電線の端末処理方法は、請求項１〜３の何れかに記載の多心電線の端末処理方法において、前記一括ピッチ揃え具を分割式に形成し、該一括ピッチ揃え具を開いた状態で前記各心線挿通部に対する前記各心線の挿通と離脱を行うことを特徴とする。
【００２４】
上記構成により、各心線挿通部や各端子保持部を孔部とすることで、各心線や各端子が一括ピッチ揃え具内に確実に保持される。一括ピッチ揃え具を各心線挿通部や各端子保持部から分割して（開いて）、各心線や各端子の挿通離脱が行われる。
【発明の効果】
【００２５】
請求項１記載の発明によれば、多心電線の各心線への端子接続を一括して同時に行い、コネクタハウジングへの各端子の挿入を一括して同時に行うことで、これら多心電線の端末処理を少ない工数で効率良く且つ確実に行うことができ、コネクタ付き多心電線の生産コストを低減することができる。また、各心線の露出長さを従来よりも短くして、これら多心電線の端末処理を行うことができるから、シールド多心電線におけるシールド性の低下やアース用ドレイン線の面倒な外周絶縁処理が軽減ないし解消される。
【００２６】
請求項２記載の発明によれば、圧着端子を接続するための各心線の皮剥きを一括して同時に行うことで、皮剥き、端子圧着、端子挿入の各工程（多心電線の端末処理）を少ない工数で効率良く且つ確実に行うことができる。
【００２７】
請求項３記載の発明によれば、各心線部の先端位置もばらつきが防止され、各端子が十分な接続代で各心線に接続されて、端子接続の信頼性が確保される。また、各心線の露出長さを従来よりも短くすることで、請求項１におけるシールド多心電線におけるシールド性の低下やアース用ドレイン線の面倒な外周絶縁処理が一層解消される。
【００２８】
請求項４記載の発明によれば、各心線挿通部や各端子保持部を孔部として、各心線や各端子を一括ピッチ揃え具内に確実に保持することができる。また、一括ピッチ揃え具を開いて、各心線や各端子の挿通離脱作業を容易に行うことができる。
【発明を実施するための最良の形態】
【００２９】
図１〜図６は、本発明に係る多心電線の端末処理方法の一実施形態を示すものである。
【００３０】
この方法は、先ず、図１（ａ）の如く、多心電線１の外側の絶縁シース２を長めに（従来の図７の例と同程度に）皮剥きして、複数本の心線３を各々分離した状態で並列に露出させ（事前加工）、図１（ｂ）の如く、各心線３を一括ピッチ揃え具６に等ピッチで挿通し、図１（ｃ）の如く、一括ピッチ揃え具６から前方に突出した各心線部分３を適宜長さに短く切断して各心線３の先端３ａの位置を揃える。
【００３１】
一括ピッチ揃え具６は、図２（ａ）〜（ｃ）に一例を示す如く、略板状の金属ないし合成樹脂材で上下分割式に形成され、複数の心線挿通孔（心線挿通部）９を等ピッチで並列（横一列）に有している。上下の各分割揃え具本体を符号７、分割面を符号８で示す。
【００３２】
図２（ｃ）の如く、各心線挿通孔９の後部開口（心線挿入口）９ａは矩形状に形成され、各心線挿通孔９は垂直な隔壁１０で等ピッチに区画されている。図２（ｂ）の如く、各後部開口９ａは横（左右）方向に幅広に形成され、適宜長さで前方に短く続いて各心線先端案内部９ｂを構成し、各心線先端案内部９ｂは、前方に向かうにつれて先窄まりに略テーパ（傾斜）状に等ピッチで延びる長い断面円形状（後部と中間部は矩形状でも可）の各孔主体部９ｃに続き、各孔主体部９ｃは一括ピッチ揃え具６の前部において断面矩形状の幅広で等ピッチな各端子保持孔（端子保持部）１１に続き、各端子保持孔１１は端子挿入用の前部開口１１ａを有している。
【００３３】
各端子保持孔１１は各心線先端案内部９ｂよりも幅狭に形成され、各端子保持孔１１の底面（奥面）に円形の孔主体部９ｃの前端９ｃ’が開口し、各孔主体部９ｃの前端開口９ｃ’は各心線３の外径よりも若干大きく形成されて、各心線３を引っ掛かりなくスムーズに摺接（スライド）可能で、且つ各心線３を振れ（径方向の位置ずれ）なく正確なピッチで揃え可能である。
【００３４】
上下一対の分割揃え具本体７は、各心線挿通孔９を成す上下の心線挿通溝９ｄを有している。各心線挿通溝９ｄの形状は各心線挿通孔９を半分に分割した形状であり、各心線先端案内溝９ｅは断面矩形状、各溝主体部（符号９ｃで代用）は断面半円形ないし断面矩形状から断面半円形に続き、各端子保持溝１１ｂは断面矩形状に形成されている。各分割揃え具本体７はヒンジ（図示せず）で開閉式としてもよい。何れの場合も一括ピッチ揃え具６を開いた状態で各心線３の挿通及び離脱を簡単且つ確実に行うことができる。
【００３５】
図１（ｂ）の各心線３は一対の分割揃え具本体７を開いた状態で各心線挿通孔９内に挿通セットされる。各心線３は一括ピッチ揃え具６の前端６ａから等ピッチで平行に突出する。一括ピッチ揃え具６の後端６ｂから絶縁シース２にかけての心線部分３ｂは傾斜状ないし湾曲状に略扇状に配置される。図１（ｃ）における各心線先端部３ａの切断は、例えば上下一対の横長のカッタ（図示せず）の昇降動作で一括して同時に行う。
【００３６】
図１（ｂ）において各心線３は後側の扇状の傾斜部３ｂによって一括ピッチ揃え具６の前端６ａからの突出長さが微妙に違っており（左右両側が短く中央が長くなる）、それを是正するために、各心線先端部３ａの切断揃えを行うことは有効である。
【００３７】
図１（ｂ）において各心線３のピッチが小さく、心線傾斜部３ｂによっても心線先端３ａの前後方向の位置ずれが無視できる程度に小さい場合は、図１（ｃ）の心線切断工程を省略し、図１（ａ）において絶縁シース２の皮剥き長さ（各心線３の露出長さ）Ｌを従来よりも短く、図１（ｃ）における長さに設定することが可能である。また、図１（ａ）において絶縁シース２の皮剥き長さＬを従来よりも短く設定し、図１（ｃ）において各心線３の先端側を切断して先端３ａの位置を揃えることも有効である。
【００３８】
各心線３は従来（図７）と同様に色分けされ、一端部の心線３1はシールド多心電線のアース用ドレイン線として外周を導電ゴム等の導電被覆で覆われたもので、後工程の皮剥きや端子圧着等を他の心線３と同様に行うことができる。
【００３９】
図１（ｃ）で各心線３を一括ピッチ揃え具６で等ピッチで位置決め保持した状態で、図３（ａ）の如く、各心線３の先端部の絶縁被覆４を同時に一括して適宜長さに皮剥きして導体部５を露出させる。絶縁被覆４の皮剥きは、図３（ｂ）における上下一対の横長な一括皮剥きカッタ１２の昇降動作で行う。
【００４０】
上下の一括皮剥きカッタ１２は、略Ｖ字状の刃部１３を等ピッチで並列に有している。各刃部１３は幅狭のブレード１４に形成し、各ブレード１４を横方向に連結固定してもよく、あるいは幅広のブレード（符号１２で代用）に各刃部１３を一体に形成してもよい。下側の一括皮剥きカッタ１２は固定され、下側の一括皮剥きカッタ１２の各刃部１３の上に各心線３の先端部を配置した状態で、上側の一括皮剥きカッタ１２を昇降させることが好ましい。各刃部１３は各心線３の絶縁被覆４に略Ｖ字状の上下の切れ込みを入れる。図２の一括ピッチ揃え具６の各心線挿通孔９のピッチＰと図３（ｂ）の各刃部１３のピッチＰとは等しく設定されている。
【００４１】
図３（ｂ）において、上下の一括皮剥きカッタ１２の前方に上下一対の横長の電線押さえガイド１５を配置し、上下の電線押さえガイド１５の等ピッチな各押さえ溝１６に各心線３の先端部を係合させつつ上下の電線押さえガイド１５で各心線３の先端部を上下方向に押圧固定し、その状態で上下の一括皮剥きカッタ１２による絶縁被覆４の切断を行うことが好ましい。各電線押さえガイド１２は矢印Ａの如く横方向に微振動させつつ各心線３の先端部の位置決めを行わせることが好ましい。
【００４２】
図３（ａ）で各心線３を一括ピッチ揃え具６で等ピッチで位置決め保持した状態で、図４（ａ）の如く、各心線３の先端部に各端子１７を一括して同時に圧着接続する。各端子１７の圧着は、図４（ｂ）（ｃ）の上下一対の横長の一括圧着具（一括端子接続具）２０である一括クリンパ１８と一括アンビル１９とを用いて行う。
【００４３】
図４（ｂ）の如く、上側の一括クリンパ１８は左右各一対の対称な小径の湾曲面（押圧部）２１を等ピッチで並列に有し、下側の一括アンビル１９は各一つの大きな湾曲面（受け部）２２を等ピッチで並列に有している。上側の各一対の湾曲面２１と下側の各一つの湾曲面２２とのピッチＰは同一で、且つ図２の一括ピッチ揃え具６の各心線挿通孔９のピッチＰと同一に設定されている。上下の各湾曲面２１，２２は、上下の幅狭な各ブレード２３，２４に形成して各ブレード２３，２４を横方向に連結固定してもよく、あるいは幅広なブレード（符号１８，１９で代用）に等ピッチで切欠形成してもよい。
【００４４】
図４（ｃ）の如く、各端子１７の圧着部２５である前側の左右一対の圧着片２５ａと後側の左右一つの圧着片２５ｂとを一括アンビル１９と一括クリンパ１８との間で各心線３に同時に圧着する。一括クリンパ１８は前側の圧着片２５ａと後側の圧着片２５ｂとに対する異なる形状の押圧面２１を有する。一括クリンパ１８はアプリケータ（図示せず）のラムに固定され、一括アンビル１９はアプリケータの支持台に固定される。一つの圧着機（図示せず）においてアプリケータは端子１７の種類に応じて交換可能である。
【００４５】
本例では端子１７として、矩形筒状の電気接触部１７ａを有する雌端子１７を用いているが、タブ状の電気接触部（図示せず）を有する雄端子（圧着部２５は雄・雌共通である）を用いることも可能である。各端子１７を一括アンビル１９の各湾曲面２２にセットするに際して、例えば各端子１７を一体の連鎖帯（図示せず）で並列に連結した状態で、各端子１７のピッチＰを一括クリンパ１８と一括アンビル１９との各湾曲面２１，２２のピッチＰに一致させるべく、連鎖帯を例えばＶ字状のポンチとダイス（図示せず）で適宜長さに屈曲短縮させることも有効である。各端子１７のピッチＰが予め各湾曲面２１，２２のピッチＰと同一に設定されていればその必要はない。連鎖帯は端子圧着時に切断する。
【００４６】
図４の端子１７の圧着後に、図５（ａ）の如く、一括ピッチ揃え具６を固定した状態で、例えば多心電線１の絶縁シース部２を矢印Ｂの如く後方に引っ張って、各心線３を各端子１７ごと後退させて、各端子１７を一括ピッチ揃え具６の各端子保持孔１１に前方から同時に挿入保持させる。各心線３は一括ピッチ揃え具６の各心線挿通孔９の内面に沿って後方にスライド移動する。
【００４７】
各端子（雄・雌各端子）１７の後半の圧着部２５、又は各雌端子１７の前半の矩形筒状の電気接触部１７ａ、又は各雄端子の圧着部２５とタブ状電気接触部との間の箱状部（図示せず）を各端子保持孔１１に挿入する。雌端子１７の矩形筒状の電気接触部１７ａ又は雄端子の中間の箱状部を端子保持孔１１に挿入することが端子１７の位置決め安定性の上で好ましい。
【００４８】
図５（ａ）の如く、各端子１７は各端子保持孔１１内で等ピッチで位置決めされる。その状態で各端子１７の先端１７ｂをコネクタハウジング２６の後端（各端子収容室の後部開口）２６ａに近接させ、一括ピッチ揃え具６を固定した状態で、例えば多心電線１の絶縁シース部２を矢印Ｃの如く前方に押して、各端子１７を各心線３ごと前進させて、図５（ｂ）の如く、コネクタハウジング２６の各端子収容室（図示せず）に各端子１７を一括して同時に挿入する。各心線３は一括ピッチ揃え具６の各心線挿通孔９の内面に沿って前方にスライド移動する。
【００４９】
一括ピッチ揃え具６の各心線挿通孔９（正確には各端子保持孔１１）のピッチＰは、コネクタハウジング２６の横一列の各端子収容室のピッチと同一に設定されている。各端子収容室の設計ピッチに合わせて各心線挿通孔９（各端子保持孔１１）のピッチＰを設定し、各心線挿通孔９（各端子保持孔１１）のピッチＰの合わせて一括クリンパ１８と一括アンビル１９（図４）との各湾曲面２１，２２のピッチＰや、上下の一括皮剥きカッタ１２（図３）の各刃部１３のピッチＰを設定する。コネクタハウジング２６の各端子収容室のピッチが一定でないものの場合（大きさの異なる端子１７を用いる場合）は、その不定ピッチに合わせて一括ピッチ揃え具６の各心線挿通孔９等のピッチＰを設定する。
【００５０】
図５（ｂ）において各端子１７はコネクタハウジング２６内への完全挿入と同時に各端子収容室内の可撓性の係止ランス（図示せず）で係止されて抜け止めされる。コネクタハウジング２６と各端子１７とでコネクタ（符号２６で代用）が構成される。最後に、図６の如く一括ピッチ揃え具６を各心線３から外して、コネクタ２６付きの多心電線１が完成する。一括ピッチ揃え具６は分割して各心線３から容易に離脱させることができる。
【００５１】
上記実施形態によって、一つの一括ピッチ揃え具６を各工程ごとに共通で用いて、各心線３の皮剥きと、各心線３への端子圧着と、各端子１７のコネクタ嵌めとを各心線３ごとに一括して同時に行うことで、これら多心電線１の端末処理を少ない工数で効率良く且つ確実に行うことができる。
【００５２】
また、各心線３を同時に皮剥き・端子圧着・コネクタ嵌めすることで、各心線３を従来のように大きく扇状等に拡げる必要がなくなり、心線３の露出長さＬが短くて済むことで、従来における、心線３の露出長さＬを長く設定しないと、各心線３の皮剥きや端子圧着やコネクタ嵌めを行うことができないという問題や、シールド多心電線１の場合に、絶縁シース２の下側の編組等のシールド導体（図示せず）からの心線３の露出長さＬが長くなって、シールド性が低下するという懸念や、ドレイン線３1のテープ巻き絶縁処理や絶縁チューブ被せ作業に多くの工数を必要とするという問題が解消される。
【００５３】
なお、上記実施形態においては、図２の如く各心線３のみを挿通させる一括ピッチ揃え具６を用いたが、例えば各心線３と絶縁シース部２の前端部２ａ（図１）とを同時に挿通させるべく、各端子保持孔１１と小径な各心線挿通孔９と一つの大径な絶縁シース挿通孔（図示せず）とを連通して有する一括ピッチ揃え具（図示せず）を用いることも可能である。この各心線挿通孔９は各心線３を摺接自在に挿通し、絶縁シース挿通孔は絶縁シース部２を摺接自在に挿通することで、上記実施形態の図３〜図５の工程に適用可能となる。
【００５４】
また、上記実施形態においては、一括ピッチ揃え具６を分割式としたが、例えば各心線挿通孔９をスリットで外部に開口した各心線挿通溝（心線挿通部）とし、各心線挿通溝の開口側の狭窄部を通って各心線３を各心線挿通溝に摺接自在に挿通させ、各端子保持孔１１に代えて各端子保持溝を形成し、各端子保持溝の開口側に鍔部を形成し、鍔部の隙間から各端子保持溝に各心線３を挿通し、次いで各心線３を後退させて各端子１７を各端子保持溝内に挿入保持させることも可能である。これは絶縁シース挿通孔に代えて絶縁シース挿通溝を形成することも同様である。
【００５５】
また、上記実施形態においては、図４において各心線３に各端子１７を一括圧着したが、圧着に代えて各心線３に各端子１７を一括圧接することも可能である。この場合は、図３の各心線３の絶縁被覆４の皮剥きは不要である。圧接端子（図示せず）は例えば後半の枠状部に左右一対ないし二対の圧接片を一体に形成して成るものが好ましく、例えばこの枠状部を図５のコネクタ嵌め時に一括ピッチ揃え具６の端子保持孔１１に挿入保持させる。各圧接片は上端に被覆切裂刃を有し、一対の圧接片間のスロットに心線３の導体５が圧入される。一括圧接具（一括端子接続具）は上側の複数の圧接刃（押圧部）を一括ピッチ揃え具６の心線挿通孔９と同一ピッチで並列に有するもので、下側には例えば図４（ａ）の一括アンビル１９と類似の受け具が配置される。
【００５６】
また、本発明は、多心電線の端末処理方法に限らず、多心電線の端末処理装置等としても有効なものである。
【図面の簡単な説明】
【００５７】
【図１】本発明に係る多心電線の端末処理方法の一実施形態における、（ａ）は絶縁シース剥き工程を示す平面図、（ｂ）は各心線のピッチ揃え工程を示す平面図、（ｃ）は同じく各心線の先端部切断工程を示す平面図である。
【図２】一括ピッチ揃え具の一形態を示す、（ａ）は正面図、（ｂ）は平面図、（ｃ）は背面図である。
【図３】（ａ）は各心線の一括皮剥き工程を示す平面図、（ｂ）は一括皮剥き装置の一形態を示す正面図である。
【図４】（ａ）は各心線の端子圧着工程を示す平面図、（ｂ）は一括圧着具の一形態を示す正面図、（ｃ）は各端子の一括圧着状態を示す側面図である。
【図５】（ａ）は各端子の一括コネクタ嵌め工程を示す平面図、（ｂ）は一括コネクタ嵌め状態を示す平面図である。
【図６】コネクタ付き多心電線の完成状態を示す平面図である。
【図７】従来の多心電線の端末処理方法の一形態を示す、（ａ）は端子圧着工程を示す平面図、（ｂ）はコネクタ嵌め工程を示す平面図である。
【図８】従来の多心電線の端末処理方法の他の形態における、（ａ）は皮剥き前の電線の斜視図、（ｂ）は皮剥き刃を示す正面図である。
【図９】従来の多心電線の端末処理方法のその他の形態におけるコネクタ嵌め工程を示す分解斜視図である。
【符号の説明】
【００５８】
１    多心電線
３    心線
３ａ  先端
４    絶縁被覆
６    一括ピッチ揃え具
９    心線挿通孔（心線挿通部）
１１  端子保持孔（端子保持部）
１２  一括皮剥きカッタ
１３  刃部
１７  端子
２０  一括圧着具（一括端子接続具）
２１  湾曲面（押圧部）
２６  コネクタハウジング
【図１】
2010003432.tif 000003
【図２】
2010003432.tif 000004
【図３】
2010003432.tif 000005
【図４】
2010003432.tif 000006
【図５】
2010003432.tif 000007
【図６】
2010003432.tif 000008
【図７】
2010003432.tif 000009
【図８】
2010003432.tif 000010
【図９】
2010003432.tif 000011